(57)【特許請求の範囲】
【請求項１】
ラベル基材と粘着剤層とセパレータとがこの順に積層された長尺な粘着紙を一定間隔で所定のラベル形状にダイカットするとともに、前記ラベル周辺の不要部分を除去し、所定形状のラベルが一定間隔に配置されたラベル連続体であって、
ラベルの使用時には、前記ラベル連続体をその長手方向に移送しながらセパレータの搬送方向を鋭角に転向してセパレータからラベルを剥離させる剥離手段を用いるラベル連続体であり、
前記ラベルは、外周のラベル本体と、周囲をラベル本体に囲まれて区画された中孔カスとからなり、
前記中孔カス周縁の区画線は、ラベル基材からセパレータまでを貫通してダイカットしたフルカット部と、残余の区画線はラベル基材および粘着剤層のみをダイカットしたハーフカット部とからなり、
前記中孔カス周縁のうちフルカット部が占める割合が中孔カス周縁の区画線全長の５〜７５％であり、
各ラベルは、フルカット部を、ラベル連続体を移送する際の搬送方向側に向け、向きを揃えて配置してあることを特徴とするラベル連続体。
【発明の詳細な説明】
【技術分野】
【０００１】
本発明は、例えばリング状や額縁状のラベルのように、内側に区画された窓を有するラベルのラベル連続体およびその加工方法に関する。
【背景技術】
【０００２】
シールやラベル製品に用いる粘着紙は、図８に示すようにラベル基材６、粘着剤層７およびセパレータ８をこの順に積層したものである。粘着紙２は、片面に剥離剤層を設けたセパレータ８の剥離剤層側に液状の粘着剤を塗工し、粘着剤の水分または溶剤を蒸発させた後、乾燥皮膜となった粘着剤層８にラベル基材６を貼り合わせて作成される。この他、ラベル基材６に粘着剤を直接塗工し、乾燥させた後にセパレータ８と貼り合わせる場合もある。このような工程を経て作成された粘着紙２は所定の幅にスリットされ、粘着原紙ロールになる。
【０００３】
所定幅にスリットされた粘着原紙ロールは、図３に示すような印刷機（ラベル加工機）２０でラベル加工される。図３はラベル加工機の一例である凸版輪転印刷機の概略側面図である。
【０００４】
図３および図９を用いてラベル加工機２０によるラベル加工を説明する。図３のラベル加工機２０は、通紙経路順に、巻出し部３０、裏面印刷工程４０、第１の表面印刷工程５０、第２の表面印刷工程６０、ダイカット工程７０、巻き取り部８０およびカス巻き取り部９０で構成される。図９はダイカット工程７０のカス上げを表す図である。
【０００５】
ラベル加工機２０による加工方法を概説すると、巻出し部３０の供給軸３１に帯状の粘着紙２をロール状に巻いた粘着原紙ロール３２が装着され、粘着紙２が供給軸３１から巻き出される。粘着紙２はガイドローラ２２に案内されて裏面印刷工程４０から第１の表面印刷工程５０に至り、続いてガイドロール２３、２４、２５および２６に案内されて第２の表面印刷工程６０に至る。裏面印刷工程４０ではセパレータの裏面にタイミングマーク（不図示）が印刷され、第１の表面印刷工程５０および第２の表面印刷工程６０では、ラベル基材側へ文字や図柄（不図示）が印刷される。印刷が施された粘着紙２は続いてガイドローラ２８に案内されて、ダイカット工程７０ヘ進み、所望のサイズにハーフカット（ラベル基材６および粘着剤層７のみをダイカット）された後、図９に示すようにカス取りロール７３でハーフカット周囲の不要な部分（以下、ラベルカス９と称す）が引き剥がされる。
【０００６】
図９に示すように粘着紙２はセパレータ８上にラベル３が一定間隔で並んだラベル連続体１０となり、ガイドローラ２９を経て巻き取り部８０の巻き取り軸８１に巻き取られる。ラベルカス９はカス巻き取り部９０の巻き取り軸９１に巻き取られる。
前述のラベル加工機や加工方法は一般的なものであり、図９に示すようなラベルを効率よく生産する方法として普及している。
【０００７】
しかし、このラベル加工機は、額縁状やリング状のような区画された窓部（中孔）を持つラベルの加工には適していない。例えば、図８に示すラベル３は、外周のリング状のラベル本体４と、その内側に区画された円形の中孔カス５とからなる。また、図１０に示すラベル３は外周の額縁状のラベル本体４と、その内側に区画された四角形の中孔カス５とからなる。これらのラベル３において、ラベル本体４の本体外周１４も中孔カス５の中孔カス周縁１５もハーフカットで形成してあるため、中孔カス５はラベル３周囲のラベルカス９とは繋がっていない。そのため、中孔カス５は周囲のラベルカス９と一緒にカス上げすることができず、セパレータ８上に残留する。ここで、図３に示した構成のラベル加工機２０を用いて中孔カス５を除去するには、中孔カス５とラベルカス９が繋がっていることが必須だからである。
【０００８】
図２にリング状ラベルのカス上げ動作を示す。このように形状が異なる場合でも、中孔カス５はラベル本体４に囲まれて独立し、ラベルカス９とは繋がっていないため、一緒にカス上げすることができない。
【０００９】
中孔カス５が付いたラベル３には、自動貼り機や剥離機を利用した貼り付け作業ができない不便さがある。自動貼り機、剥離機とも、セパレータ８の搬送方向を転向部材を用いて鋭角に屈曲転向してラベル３から引き剥がす仕組みであるが、この操作を行うと貼り付ける必要がない中孔カス５までもがラベル本体４と一緒に剥がれてしまうためである。
【００１０】
中孔カス５を取り除いて額縁状やリング状のラベル本体４を得るには、中孔カス周縁１５をフルカット（ラベル基材６からセパレータ８までの全ての層を貫通して打ち抜くこと）し、中孔カス５を粘着剤層７およびセパレータ８と積層したままの状態で取り除く方法がある。粘着紙２をフルカットした後、カス取りロール７３・７４とは別に中孔カス５を取り除くための除去ピンや除去バー等（不図示）が必要であるが、これらの機構は汎用のラベル加工機には付いていない。しかし、専用の設備を用いた場合にも、フルカットした中孔カス５がダイロールに貼り付いたり、ピンやバーで押圧しても中孔カス５を除去しきれない場合もあり、加工の信頼性が高いとは言い難い。
【００１１】
一方、汎用のラベルと同様に中孔カス周縁１５もハーフカットにし、中孔カス５をラベル本体４とともにセパレータ８上に残しておき、ラベルの使用時にラベル本体４だけを手作業で剥がす方法もある。しかし、ラベル本体４を剥がすと中孔カス５も一緒に剥がれて来ることが多く具合が悪い。ハーフカットしてあっても、中孔カス５周囲の粘着剤とラベル本体４内周の粘着剤が再び繋がって一体化したためである。ラベル３からラベル本体４だけを剥がすには、中孔カス５を指で押さえながら剥がすという動作が必要になり、作業性が悪い。
【先行技術文献】
【特許文献】
【００１２】
【特許文献１】特開平０１−１３７２８７号公報
【発明の概要】
【発明が解決しようとする課題】
【００１３】
本発明は上記の課題を解決するためなされたもので、中孔カスを残したままでも、セパレータを屈曲転向させてラベルを剥離する方式の自動貼り機や剥離機を用いて外周のラベル本体のみを剥離することができる窓付ラベルのラベル連続体と、その加工方法を提供することを目的とする。
【課題を解決するための手段】
【００１４】
本発明は上記課題を解決すべく、以下に掲げる構成とした。
【００１５】
請求項１に記載の発明は、ラベル基材と粘着剤層とセパレータとがこの順に積層された長尺な粘着紙を一定間隔で所定のラベル形状にダイカットするとともに、前記ラベル周辺の不要部分を除去し、所定形状のラベルが一定間隔に配置されたラベル連続体であって、ラベルの使用時には、前記ラベル連続体をその長手方向に移送しながらセパレータの搬送方向を鋭角に転向してセパレータからラベルを剥離させる剥離手段を用いるラベル連続体であり、前記ラベルは、外周のラベル本体と、周囲をラベル本体に囲まれて区画された中孔カスとからなり、前記中孔カス周縁の区画線は、ラベル基材からセパレータまでを貫通してダイカットしたフルカット部と、残余の区画線はラベル基材および粘着剤層のみをダイカットしたハーフカット部とからなり、前記中孔カス周縁のうちフルカット部が占める割合が中孔カス周縁の区画線全長の５〜７５％であり、各ラベルは、フルカット部を、ラベル連続体を移送する際の搬送方向側に向け、向きを揃えて配置してあることを特徴とするラベル連続体である。
【発明の効果】
【００１６】
本発明のラベル連続体は、ラベルとして使用しない中孔カスを残したままでもセパレータを屈曲、転向する方法によって中孔カス周囲のラベル本体だけを剥離することができる。ラベル本体だけを剥離できるため、自動貼り機による貼り付けや剥離機を用いた作業が可能になり、貼り付けの作業性が向上する。
また、本発明のラベル連続体の加工方法によれば、中孔カスを除去するための専用の設備を必要とせず、汎用のラベル加工機を用い、中孔カスが付いたままの状態でもラベルの外周にあたるラベル本体だけをセパレータから剥離可能なラベル連続体を提供することができる。
さらに、中孔カスを除去していないために、中孔カスもラベルとして使用することも可能になり、省資源と廃棄物の削減に寄与するものである。
【図面の簡単な説明】
【００１７】
【図１】本発明に係るラベル連続体の実施の形態を示す平面図とそのｂ−ｂ線断面図。
【図２】本発明に係るラベル連続体の加工方法を説明する斜視図。
【図３】ラベル加工機の概略説明図。
【図４】ラベルプリンタの概略側面図。
【図５】本発明に係るラベル連続体のラベル本体の剥離動作を説明する斜視図。
【図６】本発明に係るラベル連続体のラベル本体の剥離動作を説明する斜視図。
【図７】本発明に係るラベル連続体のラベル本体の剥離動作を説明する斜視図。
【図８】従来の窓付きのラベル連続体の平面図とそのｂ−ｂ線断面図。
【図９】一般のラベルのラベル連続体のカス上げ加工を説明する斜視図。
【図１０】窓付きラベルのラベル連続体のカス上げ加工を説明する斜視図。
【発明を実施するための形態】
【００１８】
以下、本発明の実施の形態について詳細に説明する。図１に本発明のラベル連続体１０を示す。図１（ａ）は平面図、図１（ｂ）はそのｂ−ｂ線断面図である。図２はカス上げの様子を説明する部分拡大斜視図である。
【００１９】
本発明のラベル連続体１０は、ラベル基材６と粘着剤層７とセパレータ８とをこの順に積層した粘着紙２をダイカットし、図２に示すように周囲の不要部分であるラベルカス９を除去したものである。各ラベル３は二重円形状にダイカットされ、二重円の外側に相当するリング状のラベル本体４と、ラベル本体４に囲まれて区画された円形の中孔カス５とで構成される。中孔カス５は一般にはラベルとして利用しない部分である。
【００２０】
ラベル本体４の本体外周１４は、その全周に渡り、ラベル基材６および粘着剤層７のみをダイカットしたハーフカットである。中孔カス５の中孔カス周縁１５は、周縁全体の約５０％がラベル基材６、粘着剤層７およびセパレータ８全ての層を貫通してダイカットしたフルカット部１１であり、残りの部分はラベル基材６および粘着剤層７のみをダイカットしたハーフカット部１２になっている。フルカット部１１は中孔カス周縁１５のうちラベルプリンタやラベル剥離機、ラベルの自動貼り付け機などでラベル連続体１０を移送する際の進行方向側に位置している。
【００２１】
本発明のラベル連続体１０の製造方法を図３のラベル加工機２０および図２を用いて説明する。図３のラベル加工機２０は汎用の凸版輪転印刷機であり、通紙経路順に、巻出し部３０、裏面印刷工程４０、第１の表面印刷工程５０、第２の表面印刷工程６０、ダイカット工程７０、巻き取り部８０およびカス巻き取り部９０で構成される。
【００２２】
巻出し部３０の供給軸３１には、帯状の粘着紙２をロール状に巻いた粘着原紙ロール３２が装着される。
【００２３】
裏面印刷工程４０は、主に版胴４２、圧胴４３等からなる印刷ユニット４１と、その下流に設けられたＵＶランプ４４とからなり、版胴４２と圧胴４３とで粘着紙２を挟圧して搬送するとともに、版胴４２に紫外線硬化型インキ（紫外線の照射により瞬時に硬化するインキ）を供給して粘着紙２に印刷を行う。そしてＵＶランプ４４から紫外線を照射して粘着紙に印刷したインキを硬化させる仕組みである。
【００２４】
第１の表面印刷工程５０は、主に版胴５２、圧胴５３等からなる印刷ユニット５１と、その下流に設けられたＵＶランプ５４とからなる。
【００２５】
第２の表面印刷工程６０は、主に版胴６２、圧胴６３等からなる印刷ユニット６１と、その下流に設けられたＵＶランプ６４とからなる。
【００２６】
第１の表面印刷工程５０、第２の表面印刷工程６０とも、粘着紙２に対してラベル基材６側に印刷すること以外は裏面印刷工程４０と同じ構成のため、詳しい説明は省略する。
【００２７】
ダイカット工程７０は粘着紙２のラベル基材６側からセパレータ８側に向って刃を入れ、ダイカットを行う工程である。例えば、ダイロール７１と呼ばれる刃付きロールとアンビルロール７２との間に粘着紙を鋏み、ダイロール７１をラベル基材６に押し当てて回転させることによりカットラインを形成する。ダイロール７１の下流には、粘着紙２からラベルカス９を分離する一対のカス取りロール７３・７４が配置されている。
【００２８】
ラベル連続体１０は以下のようにして加工する。巻出し部３０から巻き出された粘着紙２は、ガイドローラ２２に案内されて裏面印刷工程４０へ送られ、セパレータの裏面に紫外線硬化型インキでタイミングマーク等（不図示）が印刷される。印刷されたインキはＵＶランプ４４で瞬時に硬化される。続いて粘着紙は第１の表面印刷工程５０からガイドロール２３、２４、２５および２６に案内されて第２の表面印刷工程６０へと搬送され、それぞれの印刷ユニット５１・６１にてラベル基材面に文字や図柄等（不図示）が紫外線硬化型インキで印刷される。印刷されたインキは各工程のＵＶランプ５４・６４によって瞬時に硬化される。尚、本発明の図面では印刷された文字や画像については表記を省略する。
【００２９】
印刷を終えた粘着紙２はガイドローラ２８に案内されてダイカット工程７０ヘ進み、ダイロール７１によってダイカットが行われる。図１に示すように、ラベル本体４の本体外周１４は、その全周に渡り、ラベル基材６および粘着剤層７のみをダイカットしたハーフカットにする。中孔カス５の中孔カス周縁１５は、周縁全体の約５０％をラベル基材６、粘着剤層７およびセパレータ８全ての層を貫通してダイカットしたフルカット部１１とし、残りの部分をラベル基材６および粘着剤層７のみをダイカットしたハーフカット部１２とする。フルカット部１１はラベル連続体１０の使用時に移送する際の進行方向側に位置させる。
【００３０】
続いて図２に示すように、カス取りロール７３でラベル３周囲のラベルカス９を引き剥がすと、ラベル３が一定ピッチで並んだラベル連続体１０が完成する。その際、不要部分の除去は、ラベル３周囲のラベルカス９だけをカス上げする。中孔カス５はラベルとして使わない不要部分であるが、ラベル３の中央部にラベル本体４と一緒に留めておく。カス上げされたラベル連続体１０はガイドロール２９を経て巻き取り部８０の巻き取り軸８１に巻き取られてラベルロール８２となる。カス上げされたラベルカス９はカス巻き取り部９０の巻き取り軸９１に巻き取られる。
【００３１】
ラベル基材６の種類や材質は、紙や合成樹脂フィルムなど特に限定されるものではなく、粘着紙として一般的に用いられているものである。例えば、上質紙、コート紙、アート紙のような紙基材、ＰＥＴ（ポリエチレンテレフタレート）、ＰＥ（ポリエチレン）、ＰＰ（ポリプロピレン）、ＰＳ（ポリスチレン）を素材とした合成樹脂フィルムや、前記の合成樹脂を複数種組み合わせたシート、合成樹脂フィルムと紙とを合わせた複合シートも使用できる。感熱紙（サーマル紙）でも構わない。
【００３２】
粘着剤層７の粘着剤は、例えば、エマルジョン系（粘着剤を水に分散したもの）、ソルベント系（粘着剤を溶剤に溶解したもの）、ホットメルト系（熱可塑性を利用したもの）等である。材質としては、合成ゴム系や天然ゴム系、アクリル樹脂系、ポリビニルエーテル樹脂系、ウレタン樹脂系、シリコーン樹脂系等の粘着剤があげられる。粘着剤の粘着力は任意である。
【００３３】
セパレータ８は汎用のものである。例えば、紙やフィルムに紫外線硬化型のシリコーン、熱硬化型のシリコーン、溶剤型のシリコーン、アルキルペンダントポリマーの他、フッ素系の剥離剤を塗工したものがあげられる。
【００３４】
中孔カス５の周縁のうち、フルカット部が占める割合は中孔カス５の中孔カス周縁１５全体の５〜７５％であることが好ましい。より好ましくは２０〜６０％である。フルカット部１１の割合が５％未満の場合はラベル本体４と中孔カス５とを分離しにくくなる。フルカット部１１の割合が７５％を越えた場合はセパレータ８の裂け目が大きくなるため、加工中に粘着紙２が破れたり、中孔カス５が剥がれる等のリスクが生じる。
【００３５】
次に、本発明のラベル連続体１０の使用方法を、剥離手段を有するラベルプリンタで印字発行する作業を例に説明する。図４はラベルプリンタ１００の概略側面図である。ラベルプリンタ１００は、ロール紙供給手段１５１、印字手段１６１および剥離手段１３１を筐体１５２内に設けたものである。ロール紙供給手段１５１の軸にはラベル連続体１０を巻回したラベルロールが回転可能に支持されている。また、筐体１５２内には、ラベル連続体１０の走行経路に沿って、順にガイドロール１５６、ラベル３の有無を検知する用紙センサ１５７、ラベル連続体１０のセパレータ８裏面に印刷されたタイミングマークを検出するタイミングマークセンサ１５８が取り付けられている。タイミングマークセンサ１５８の下流にはプラテンローラ１６２とサーマルヘッド１６３とからなる印字手段１６１が配置され、その隣接位置には発行口１５４が設けられている。
【００３６】
印字手段１６１の上方および周囲には熱転写リボン１６８の供給軸６５と、ガイドロール１６６と、巻き取り軸６７とが設けられて熱転写リボン１６８の走行経路を形成している。熱転写リボン１６８は供給軸１６５にセットされ、ガイドロール１６６によりプラテン１６２とサーマルヘッド１６３との間に誘導され、それらによりラベル連続体１０とともに押圧保持される。そしてサーマルヘッド１６３下流の転向部材１６４で上方へ向きを変え、巻き取り軸１６７へ向う。
【００３７】
印字手段１６１の下流には、印字が行われたラベル連続体１０のラベル３からセパレータ８を剥離する剥離手段１３１が設けられている。剥離手段１３１はセパレータ８の搬送方向を鋭角に変える転向部材１３２、セパレータ８を挟持し搬送する駆動ローラ１３３および従動ローラ１３４、セパレータ８を巻き取るセパレータ巻き取り軸１３５で構成される。
【００３８】
図４に示すプリンタ１００は以下のように動作する。先ず、ラベル連続体１０のロールをプリンタ１００にセットし、ホストコンピュータ（不図示）から印字データを送って印字の指示を出す。プラテンローラ１６２が回転し、ラベル連続体１０がガイドロール１５６、用紙センサ１５７、タイミングマークセンサ１５８を経て熱転写リボン１６８とともに印字手段１６１に搬送されて行く。図５に示すようにタイミングマークセンサ１５８がタイミングマーク１７を検出すると印字が開始され、ラベル３の表面にサーマルヘッド１６３の発熱走査で熱転写リボン１６８からインクが溶融転写され、バーコード等の画像１が印字される。印字が行なわれたラベル３は、発行口１５４の転向部材１３２方向へ搬送される。印字済みリボン１６９は巻き取り軸１６７に巻き取られる。
【００３９】
続いて図６に示すように、転向部材１３２に到達したラベル３は、駆動ローラ１３３および従動ローラ１３４の動作により転向部材１３２の先端１３２ａでセパレータが８が鋭角に向きを変えて引っ張られる。その際、ラベル３は腰が強く屈曲しにくいために直進し、セパレータ８のみが向きを変えてラベル３から剥がされる。剥離したセパレータ８は巻き取り軸１３５に巻き取られ、セパレータロール１３７となる（図４参照）。
【００４０】
図６の状態において、ラベル本体４のうち転向部材１３２の先端１３２ａから突き出た部分はセパレータ８が転向し、ラベル３から剥離されている。しかし、中孔カス５の直下では、中孔カス周縁１５の進行方向側がフルカットされてセパレータ８も切り込まれているため、中孔カス５部分のセパレータ８は中孔カス５に付いたまま直進する。転向したセパレータ８には半円状の穴（フルカット部１１が弧で転向部材先端１３２ａが弦）が口を開ける。
【００４１】
ラベル連続体１０がさらに搬送され、中孔カス周縁１５のハーフカット部１２が転向部材１３２の先端１３２ａより先に進行すると、図７に示すようにセパレータ８が全幅に渡って屈曲して中孔カス５が付いたまま転向し、駆動ローラ１３３に引かれてセパレータロール１３７に巻き取られる。転向部材１３２の先には中孔カス５から分離されたラベル本体４だけが突き出た状態になる。図７の状態でラベル本体４を掴んでセパレータ８から剥がせば、所定の被着物にラベル本体４だけを簡単に貼付けることができる。
【００４２】
また、図５〜図７ではラベルプリンタ１００を例に挙げ、ラベル本体４を転向部材１３２を用いて剥離させる動作を説明したが、セパレータ８の搬送方向を鋭角に転向してセパレータ８を剥離する方式の剥離手段を備えてあれば、自動貼り機（不図示）でラベル本体４を自動貼りしたり、剥離機でラベル本体４を剥がして貼付けることも可能である。
【００４３】
このように、本発明のラベル連続体は、中孔カスが付いたままの状態でも、セパレータを屈曲転向させてラベルを剥離する方式の自動貼り機や剥離機を用いて外周のラベル本体のみを剥離したり自動貼りすることができ、ラベル貼り付けの作業性が高い。また、その加工方法によれば中孔カスが付いたままの状態でも、セパレータを屈曲転向させてラベル本体だけを剥離できるラベル連続体を提供することができる。中孔カスを除去するための設備が不要となり、汎用のラベル加工機を用いた生産が可能になる。さらに、中孔カスを除去していないため、中孔カスもラベルとして使用することも可能になり、省資源と廃棄物の削減に寄与する。
【００４４】
なお、本発明が前述した実施の形態に限定されず、本発明の技術思想の範囲内において、各実施の形態は適宜変更され得ることは明らかである。また、上記構成部材の数、位置、形状、配置等は上記実施の形態に限定されず、本発明を実施する上で好適な数、位置、形状等にすることができる。
【００４５】
ラベル３、即ちラベル本体４や中孔カス５の形状は任意である。前述した実施の形態ではラベル３が同心の二重円で、ラベル本体４がリング形状、中孔カス５が円形である例を用いて説明したが、図１０に示すような二つの長方形を組み合わせた額縁状でも構わない。さらには、例えばラベル本体４が矩形状で、中孔カス５が円形、またはその逆など、異なる形状の組み合わせでも良い。
【００４６】
ラベル本体４に対する中孔カス５の位置は任意である。前述した実施の形態ではラベル３が同心の二重円である例を用いて説明したが、偏っていても構わない。
【００４７】
ラベル本体４と中孔カス５の大きさや、互いの大きさの比率も任意である。
【００４８】
ラベル本体４に対する中孔カス５の数は任意である。ラベル本体４の内側の中孔カス５の数は一つだけでも複数でも良い。
【００４９】
中孔カス周縁１５のフルカット部１１は、ラベル連続体１０の進行方向側であれば任意の位置に配置して良い。さらには、フルカット部１１を中孔カス周縁１５の複数箇所に設けても良い。複数箇所に設けるとラベル本体４と中孔カス５とを分離し易くなる。ただし、この場合でもフルカット部の周縁全体に対する割合が７５％を越えないようにする。
【００５０】
ダイカットの方法は任意である。図３のラベル加工機ではダイロールを用い、刃の高さを変えることでハーフカットとフルカットを形成する例を示したが、平打ち方式やレーザを用いてダイカットしても構わない。
【符号の説明】
【００５１】
１  画像
２  粘着紙
３  ラベル
４  ラベル本体
５  中孔カス
６  ラベル基材
７  粘着剤層
８  セパレータ
９  ラベルカス
１０  ラベル連続体
１１  フルカット部
１２  ハーフカット部
１４  本体外周
１５  中孔カス周縁（区画線）
２０  ラベル加工機
２２  ガイドローラ
２３  ガイドローラ
２４  ガイドローラ
２５  ガイドローラ
２６  ガイドローラ
２８  ガイドローラ
２９  ガイドローラ
３０  巻き出し部
３１  供給軸
３２  粘着原紙ロール
４０  裏面印刷工程
４１  印刷ユニット
４２  版胴
４３  圧胴
４４  ＵＶランプ
５０  第１の表面印刷工程
５１  印刷ユニット
５２  版胴
５３  圧胴
５４  ＵＶランプ
６１  印刷ユニット
６２  版胴
６３  圧胴
６４  ＵＶランプ
７０  ダイカット工程
７１  ダイロール
７２  アンビルロール
７３  カス取りロール
７４  カス取りロール
８０  巻き取り部
８１  巻き取り軸
８２  ラベルロール
９０  カス巻き取り部
９１  巻き取り軸
１００  ラベルプリンタ
１３１  剥離手段
１３２  転向部材
１３３  駆動ローラ
１３４  従動ローラ
１３５  巻き取り軸
１３７  セパレータロール
１５１  ロール紙供給手段
１５２  筐体
１５４  発行口
１５６  ガイドロール
１５７  用紙センサ
１５８  タイミングマークセンサ
１６１  印字手段
１６２  プラテンローラ
１６３  サーマルヘッド
１６４  転向部材
１６５  供給軸
１６６  ガイドロール
１６７  巻き取り軸
１６８  熱転写リボン
１６９  印字済みリボン
【図１】
0005441595.tif 000002
【図２】
0005441595.tif 000003
【図３】
0005441595.tif 000004
【図４】
0005441595.tif 000005
【図５】
0005441595.tif 000006
【図６】
0005441595.tif 000007
【図７】
0005441595.tif 000008
【図８】
0005441595.tif 000009
【図９】
0005441595.tif 000010
【図１０】
0005441595.tif 000011